(57)【特許請求の範囲】
【請求項１】
光源（１５）及びフレーム（１２）を含む予め組み立てられたバックライトモジュール（１１）と、
前記光源（１５）及び導光体を用いて裏側から照射する表示要素（２０）と
を含み、
前記フレーム（１２）が前記光源（１５）で発生した熱を外部に伝える働きをするように、前記光源（１５）は前記フレーム（１２）と熱的に接触し、
前記光源（１５）は前記フレーム（１２）と直接接触するように配置される、表示装置（１）。
【請求項２】
前記フレーム（１２）はマグネシウムを含む材料からなり、前記光源（１５）は接着剤を用いて前記フレーム（１２）と直接接触するように配置される、請求項１に記載の表示装置（１）。
【請求項３】
前記光源（１５）は、発光ダイオード（ＬＥＤ）又は複数のＬＥＤであり、フレキシブルプリント回路（１４）に接続されている、請求項１又は２に記載の表示装置（１）。
【請求項４】
前記バックライトモジュール（１１）は導光体を含む、請求項１〜３のいずれか１項に記載の表示装置（１）。
【請求項５】
前記光源（１５）は前記表示装置（１）の側面に沿って配置され、前記導光体は前記光源（１５）から発した光を前記表示要素（２０）を介して導く、請求項４に記載の表示装置（１）。
【請求項６】
前記バックライトモジュール（１１）は光学フィルタ手段及び／又は光散乱手段を含む、請求項１〜５のいずれか１項に記載の表示装置（１）。
【請求項７】
前記表示要素（２０）は、液晶ディスプレイ（ＬＣＤ）であり、薄膜トランジスタ（ＴＦＴ）を含む、請求項１〜６のいずれか１項に記載の表示装置（１）。
【請求項８】
予め組み立てられた表示モジュールを含む、請求項１〜７のいずれか１項に記載の表示装置（１）。
【請求項９】
請求項１〜８のいずれか１項に記載の表示装置（１）の製造方法であって、
バックライトモジュール（１１）を組み立てる第１のステップと、
前記バックライトモジュール（１１）を用いて前記表示装置（１）を組み立てるステップと
を含む方法。
【請求項１０】
表示モジュールを組み立てる第２のステップをさらに含み、
前記表示装置（１）の組み立ては、前記バックライトモジュール（１１）及び前記表示モジュールを用いて行われる、請求項９に記載の方法。
【発明の詳細な説明】
【技術分野】
【０００１】
本発明は、表示装置に関し、詳しくは、車両のためのものであり、また、そのような表示装置の製造方法に関する。
【背景技術】
【０００２】
表示装置は周知であり、例えば、韓国公開特許第１０−２００４−００５９６０５号公報に開示されている。この公報は、裏から照射する表示装置を開示している。
【発明の概要】
【０００３】
このような先行技術に属する装置には、比較的複雑であり、したがって比較的高価な組立品であるという欠点がある。このような先行技術に属する装置には、追加の組立部品の数に応じて増加する組立時間という他の欠点もある。
【０００４】
本発明は、特に、先行技術の欠点について、特に前述したものを軽減することを目的とするが、このような組立品を簡単に、非常に効率的に組み立てることができるような表示装置を提供することも目的とする。
【０００５】
本発明によると、この目的は、表示要素であって、光源と導光体を用いて裏から照射するものを含み、表示要素は、予め組み立てられたバックライトモジュールを含む。
【０００６】
バックライトモジュールを含むこのような表示装置は、簡単で効率的に表示装置を組み立てることができるという利益を有する。
【０００７】
好ましい実施形態によると、バックライトモジュールは、フレームであって、マグネシウムを材料とするものを含み、バックライトモジュールは、光源であって、フレームと熱的接触しているものを含む。この熱的接触は、一方の光源と、他方のフレームの間であり、好ましくは直接の熱接触である。
【０００８】
マグネシウムを含む材料からなるフレームを作成する利益は、実際のところ、非常に軽量のバックライトモジュールを作成できるのみならず、バックライト光源によって発生した熱が表示装置の外に排出されるような十分に高い熱伝導率を確保することができることである。特に接着剤を用いて、光源をフレームに直接接触するように配置する利益は、バックライト光源とフレーム（したがって、バックライトモジュールの外）との間の伝熱は、大きく改善される。
【０００９】
発明の好ましい改良点は、実際のところ、光源が、発光ダイオード（ＬＥＤ）又は複数のＬＥＤであり、実際のところ、光源が、フレキシブルプリント回路によって接続されていることにある。
【００１０】
表示装置のこのような実施形態では、表示装置は、光源で発生する熱を伝える一方の機能と、光源を電気的に接続する他方の機能を分離することができるという利益を有する。
【００１１】
他の好ましい実施形態によると、バックライトモジュールは、導光体を含む。
【００１２】
表示装置のこのような実施形態では、光源（又はＬＥＤのような光源要素）を表示領域にほとんど独立に配置することができるという利益がある。例えば、ほぼ矩形の表示領域については、光源又は光源要素を表示領域の一辺に沿って配置することができる。したがって、本発明の好ましい改良点は、光源が表示装置の側面に沿って配置され、導光体が光源から発した光を表示要素を介して導くことにある。
【００１３】
本発明の他の好ましい改良点は、実際のところ、バックライトモジュールが光学フィルタ手段及び／又は光散乱手段を含むことである。
【００１４】
このような実施形態では、様々な表示モジュール、特に異なる供給者からのものに用いることができるようなバックライトモジュールを製造することができるという利益を有する。
【００１５】
さらに他の好ましい実施形態によると、表示要素は、液晶ディスプレイ（ＬＣＤ）であり、特に薄膜トランジスタ（ＴＦＴ）を含むものである。
【００１６】
本発明の他の好ましい改良点は、実際のところ、表示装置が予め組み立てられた表示モジュールを含むことである。
【００１７】
したがって、表示装置の製造方法をより簡単にすることができ、より効率的に、より低廉にすることができるという利益を有する。さらに、組立装置の製造をより柔軟にすることができるという利益を有する。
【００１８】
本発明は、本発明の表示装置の製造方法にも関し、この製造方法は、
バックライトモジュールを製造する第１のステップと、
バックライトモジュールを用いて表示装置を製造するステップと
を含む。
【００１９】
このような製造方法の実現では、バックライトモジュールを予め組み立て、したがって表示装置を低廉に製造することができるという利益を有する。
【００２０】
本発明の他の特徴及び利益は、実際のところ、第２のステップにおいて、表示モジュールが組み立てられ、表示装置の組立は、バックライトモジュール及び表示モジュールを用いて行われることである。
【００２１】
このような製造方法の実現では、バックライトモジュールだけでなく表示モジュールをも予め組み立てることができ、表示装置の製造をより低廉にすることができるという利益を有する。
【００２２】
本発明の他の特徴及び利益は、本発明の特定の限定的でない実施形態の以下の記載を読むことにより明らかになる。
【図面の簡単な説明】
【００２３】
本発明は、限定的でない例によって与えられ、添付の概略図を参照して説明される、好ましい実施形態に関する以下の記載によってよく理解されるであろう。
【図１】図１は、本発明による表示装置の概略図であり、バックライト及び表示モジュールを含む。
【図２】図２は、本発明による表示装置の表示モジュールの概略図である。
【発明を実施するための形態】
【００２４】
添付図面の図１及び図２は、本発明の表示装置の発明による表示装置１であって、特に車両（図示なし）におけるものを示す。
【００２５】
表示装置１は、表示要素２０、特にＬＣＤを含み、特にＴＦＴを含む。
【００２６】
表示装置１は、バックライトモジュール１１であって、特に予め組み立てられたものを含む。バックライトモジュール１１は、光源１５及び好ましくは導光体（図面に示さず）を含む。さらに、バックライトモジュール１１は、フレーム１２又はジャケットを含む。フレーム１２は、特に光源１５が発生した熱を外部に伝える働きをする。この目的のため、光源１５は、フレーム１２と熱的な接触をなしている。フレーム１２は、例えばタングステンのような特に良好な熱伝導度を有する材料からなる。マグネシウムは、比較的軽い比重を有するという利益も有し、したがって比較的軽量のフレーム１２を作成することができる。
【００２７】
光源１５は、特にＬＥＤ又は複数のＬＥＤである。本発明の明細書では、複数のＬＥＤも光源要素と称される。
【００２８】
光源１５は、特に表示領域の側面に配置されるが、表示領域は矩形であり得る。導光体の目的は、特に光を分配することであり、光源１５から発した光を、表示領域にわたってできるだけ均一に分配する。
【００２９】
本発明によると、光源１５又は光源要素１５は、フレキシブルプリント回路１４によって接続されている。
【００３０】
バックライトモジュール１１は、導光体に加え、光学フィルタ手段（図面に示さず）及び／又は光散乱手段（図面に示さず）を含み、均一なバックライトを生成する。
【００３１】
本発明によると、バックライトモジュール１１は予め組み立てられ、したがって組立装置の製造方法がより簡単により効率的に実行できる。本発明の好ましい実施形態によると、表示要素２０も（他の要素とともに）予め組み立てられ、表示モジュールを形成する。したがって、表示装置１は、一方のバックライトモジュールと他方の表示モジュールを結び付ける方法によって、より効率的な方法で製造することができる。
【符号の説明】
【００３２】
１  表示装置
１１  バックライトモジュール
１２  フレーム
１４  フレキシブルプリント回路
１５  光源
【図１】
0005703225.tif 000002
【図２】
0005703225.tif 000003